(57)【特許請求の範囲】
【請求項１】
ＲＦコイルから被検者に向けて高周波パルスを印加し、収集されたＮＭＲ信号を再構成して磁気共鳴画像を得るＭＲＩ装置に用いる電磁波除去シートであって、
前記電磁波除去シートは、銅及びニッケルを含有する導電性金属を有し、電磁波の一部を透過する反射材と、前記反射材に隣接する吸収材がそれぞれ交互に複数積層されており、前記反射材及び前記吸収剤を収容し被検者に接するカバー部を備えていることを特徴とする電磁波除去シート。
【請求項２】
前記反射材において、表面に前記銅がコーティングされ、前記銅の層の外側に前記ニッケルがコーティングされていることを特徴とする請求項１に記載の電磁波除去シート。
【請求項３】
前記反射材において、前記銅が２３〜３５重量％含有され、前記ニッケルが２〜５重量％含有されていることを特徴とする請求項１又は請求項２に記載の電磁波除去シート。
【発明の詳細な説明】
【技術分野】
【０００１】
本発明は、ＭＲＩ装置における撮像時の電磁波を除去することによって、鮮明な画像が得られる電磁波除去シートに関するものである。
【背景技術】
【０００２】
従来より、容易に電磁波分布を調整し得る電磁波除去シートが公知である。例えば、箔状又はＲＦシールド用のメッシュシート状の非磁性導電性金属がモールド材によってモールドされており、非導電性繊維又はゴム等の高分子化合物にて可撓性を備えて、任意の形状にすることができるものが公知である（特許文献１参照）。
【先行技術文献】
【特許文献】
【０００３】
【特許文献１】特開平４−２８８１３９号公報
【発明の概要】
【発明が解決しようとする課題】
【０００４】
しかしながら、特許文献１の電磁波除去シートにおいては、箔状の非磁性導電性金属がモールドされるため、非磁性体ではあるものの、箔の常態化では微小に磁性体を含んでいるので画像上に影響を及ぼすことが懸念されるものであった。
【０００５】
そこで、本発明はこのような問題点を解決するものであって、簡易な構造を採用することで、電磁波の除去率を向上することができる電磁波除去シートを提供することを課題とする。
【課題を解決するための手段】
【０００６】
前記問題点を解決するために、本発明の請求項１に記載の電磁波除去シートは、ＲＦコイルから被検者に向けて高周波パルスを印加し、収集されたＮＭＲ信号を再構成して磁気共鳴画像を得るＭＲＩ装置に用いる電磁波除去シートであって、前記電磁波除去シートは、銅及びニッケルを含有する導電性金属を有し、電磁波の一部を透過する反射材と、前記反射材に隣接する吸収材がそれぞれ交互に複数積層されており、前記反射材及び前記吸収剤を収容し被検者に接するカバー部を備えていることを特徴とするものである。
【０００７】
また、本発明の請求項２に記載の電磁波除去シートは、請求項１に記載の電磁波除去シートにおいて、前記反射材において、表面に前記銅がコーティングされ、前記銅の層の外側に前記ニッケルがコーティングされているものである。
【０００８】
また、本発明の請求項３に記載の電磁波除去シートは、請求項１又は請求項２に記載の電磁波除去シートにおいて、前記反射材において、前記銅が２３〜３５重量％含有され、前記ニッケルが２〜５重量％含有されているものである。
【発明の効果】
【０００９】
本発明の電磁波除去シートによれば、除去部における厚さ方向の両端面の最外側に位置する導電性金属を有する反射材と、反射材より内側に位置する吸収材とを備える簡易な構造を採用することで、電磁波の除去率を向上させ、撮像時における折り返しアーチファクトを低減又は消去することができる。
【図面の簡単な説明】
【００１０】
【図１】本発明の実施形態における電磁波除去シートの部分断面図である。
【図２】本発明の他の実施形態における電磁波除去シートの部分断面図である。
【図３】本発明の他の実施形態における電磁波除去シートのα部拡大図である。
【発明を実施するための形態】
【００１１】
以下、本発明の実施の形態における電磁波除去シートを図面に基づいて説明する。なお、説明中、数値範囲を示す表記は上限及び下限を含むものである。当該電磁波除去シートは、ＲＦコイルから被検者に向けて高周波パルスを印加し、収集されたＮＭＲ信号を再構成して磁気共鳴画像を得るＭＲＩ装置のＲＦコイルと被検者との間に位置する部分に配置することで、撮像時における折り返しアーチファクトを低減又は消去することができるものである。
【００１２】
ここで、ＭＲＩ装置における折り返しアーチファクトとは、ＦＯＶ（撮像視野）の外側にある対象物がＦＯＶの内側に映り込む現象のことをいう。図１は、電磁波除去シートの部分断面図である。図２及び図３は、他の実施形態における電磁波除去シートの断面図等である。
【実施例】
【００１３】
本発明に係る電磁波除去シートの一実施形態は、図１に示すように、主に、可撓性を有するパッド材１０と、電磁波を除去する除去部２０を構成する反射材２１と吸収材２２とから構成される。さらに、電磁波除去シートは、被検者に接することも考慮して、除去部２０をカバー部３０にて覆設することが望ましい。
【００１４】
パッド材１０は、電磁波除去シートの芯材となり、電磁波除去シートにおける厚み寸法の大部分を構成するものである。パッド材１０は、例えば、可撓性を有する合成樹脂製シート、ゴム製シート、ゲル状材、合成スポンジ等の種々のものを採用することができるが、これに限られるものではない。また、パッド材１０は、撮像時に被検者に当てがって配置させたり、巻回したりすることができるよう可撓性を有するものであれば、特に制限されるものではない。
【００１５】
また、パッド材１０は、例えば、略長方形状の板状に形成されるが、これに限られることなく、被検者における身体の部位に合わせて、種々の形状を採用することができる。
【００１６】
除去部２０は、撮像時の画像に影響を及ぼす折り返しアーチファクトを低減又は消去するものである。除去部２０は、反射材２１と吸収材２２とから構成される。当該反射材２１は、除去部２０における厚さ方向の両端面の最外側に位置してなり、導電性金属を有してなる。導電性金属には、非磁性金属であるアルミニウム、金、銀、銅や、磁性金属であるニッケル、鉄、コバルト等を採用することができる。
【００１７】
反射材２１は、例えば、紙材、ＰＥＴ等を原材料とするフィルムや、木綿、麻、羊毛、絹等の天然繊維又はポリエステル、ナイロン、アクリル等の合成繊維を原材料とする織物又は不織布などの非導電性材料に、導電性金属を一端面又は両端面に蒸着させたり、繊維の表面に蒸着や接着などの方法によりコーティングしておいたり、微細化して繊維に練りこんでおいたりすることで形成される。また、一端面側に蒸着させる場合における蒸着層の厚さは、少なくとも０．０２μｍ以上の適宜の厚みとすることが望ましく、０．０２〜０．０７μｍの厚みとすることがより望ましい。このとき、蒸着層の厚さを０．０２μｍ未満とすると、反射層としての機械的強度が低下し、良好な効果を得ることができないため、好ましくない。さらに、導電性金属が繊の維表面にコーティングされたり、繊維に練り込まれたりした織物や不織布を反射材２１としたときには、１０〜１０００μｍの厚みとすることが望ましく、３０〜６００μｍの厚みとすることがより望ましい。これらの織物や不織布により構成される反射材２１の厚みがこの範囲にあると、積層などの加工が容易ながらも電磁波を遮断する効果を十分に得ることができる。
【００１８】
また、吸収材２２は、反射材２１より除去部２０における厚さ方向の内側に位置してなり、例えば、炭素系繊維や、導電性ポリマーによる繊維のほか、金属系繊維等から形成される。炭素系繊維としては、例えば、カーボンブラック等の炭素系素材による繊維等が挙げられる。また、導電性ポリマーによる繊維における導電性ポリマーとしては、特に制限されることはないが、ポリアセチレン系導電性ポリマー、ポリピロール系導電性ポリマー、ポリアセン系導電性ポリマー、ポリフェニレン系導電性ポリマー、ポリアニリン系導電性ポリマー、ポリチオフェン系導電性ポリマー等が挙げられる。さらに、金属系繊維としては、特に制限されることはないが、例えば、金繊維、銀繊維、アルミニウム繊維、鉄繊維、銅繊維、ニッケル繊維、ステンレス系繊維、銅−ニッケル合金繊維等の金属元素よりなる繊維のほか、硫化銅繊維等の金属元素とともに非金属元素を含む各種金属系化合物よりなる繊維等が挙げられる。
【００１９】
このようにして、除去部２０は、厚さ方向の両端面から内側方向に向けて、反射材２１と吸収材２２とが配設されるものであり、被検者が電磁波除去シートを使用する際には、電磁波除去シートにおける厚さ方向のいずれの端面を被検者側に向けても、電磁波入射側に反射材２１が対向するよう構成される。
【００２０】
そして、吸収材２２のさらに内側方向においては、反射材２１、吸収材２２のいずれか一方を配設することもできるし、適宜の順序で両者を組み合わせて配設することもできるし、複数を重ね合せて配設することもできる。さらに、反射材２１と吸収材２２の間においても、反射材２１、吸収材２２のいずれか一方を配設することもできるし、適宜の順序で両者を組み合わせて配設することもできるし、複数を重ね合せて配設することもできる。これにより、電磁波の除去率をさらに向上させることができる。具体的には、他の実施形態として、図２及び図３に示すように、導電性金属を有する反射材２１が吸収材２２に挟持されるようにも配設して、すなわち、反射材２１が三層、吸収材２２が二層となるように反射材２１を折りたたみ、反射材２１と吸収材２２を交互に積層することもできる。また、電磁波の除去率に関して、反射材２１が二層、吸収材２２が一層となるように吸収材２２を反射材２１に挟持させて積層した電磁波除去シートにおいて、一側面側から入射させた電磁波のうち他の側面側で検出された電磁波は１４％であり、入射した電磁波の８６％を除去することができた。そして、図２及び図３に示すように、反射材２１が三層、吸収材２２が二層となるように反射材２１と吸収材２２を交互に積層した電磁波除去シートにおいて、一側面側から入射させた電磁波のうち他の側面側で検出された電磁波は１％であり、入射した電磁波の９９％を除去することができた。ここで、図２及び図３に示す反射材２１は、表面に銅がコーティングされ、さらにその銅の層の外側にニッケルがコーティングされているポリエステル繊維を用いて織られた厚みが１００μｍの織物である。その織物のうち、ポリエステル繊維は５６〜８３重量％、銅は２３〜３５重量％、ニッケルが２〜５重量％含有されている。
【００２１】
カバー部３０は、パッド材１０及び除去部２０を収容するものである。カバー部３０は、例えば、ポリウレタン、ポリエステル等の合成樹脂製シートから形成することができるが、これに限られるものではない。カバー部３０は、被検者に接する部分であるため、優れた成形性、安全性等を有するものであれば、特に制限されるものではない。
【００２２】
図１に示す実施形態においては、パッド材１０は、ポリウレタン等の合成樹脂を発泡成形した合成スポンジとされ、図１に示すように、電磁波除去シートにおける厚さ方向の中心に位置してなる。また、除去部２０を構成する吸収材２２は、両面が合成樹脂製フィルムで加工された炭素繊維からなる高周波電磁波吸収シールドクロス  ＲＮ１２０（Ｂｉｏｌｏｇａ  ＧｍｂＨ社製）とされ、パッド材１０における厚さ方向の両端面の全面に接着剤等で固着されている。
【００２３】
また、図１に示す実施形態において、反射材２１は、パッド材１０と略同様の合成スポンジの少なくとも一端面側の全面にアルミニウムを真空蒸着してアルミ蒸着層を形成し、吸収材２２の外側面に接着剤等で固着されている。すなわち、電磁波除去シートの電磁波入射側から対向する側面に向けて、反射材２１、吸収材２２、パッド材１０、吸収材２２、反射材２１とが順に積層して構成され、これらがポリウレタンの合成樹脂製シートから形成される袋状のカバー部３０に収容される。
【００２４】
このようにして構成される電磁波除去シートを使用する際には、ＦＯＶの外側に位置する対象物、例えば腕、脚とＦＯＶとの間に電磁波除去シートを配置する。これにより、除去部２０の反射材２１に電磁波が入射されると電磁波の磁気により渦電流が流れることによって入射波を遮断させ、透過したものについても吸収材２２にて減衰させるとともに、電流が誘起されることにより発生する熱をパッド材１０にて吸収することができる。
【００２５】
そして、入射波側からパッド材１０の対向位置における吸収材２２、反射材２１においても同様の効果を奏することから、電磁波を除去して撮像時に位相エンコード方向に出現する折り返しアーチファクトを低減又は消去することができる。また、電磁波除去シートにおいて、除去部２０は、厚さ方向の両端面から内側方向に向けて、反射材２１と吸収材２２とが配設されるため、表裏面を問うことなく使用することができる。
【００２６】
以上、説明した本発明に係る電磁波除去シートによれば、除去部における厚さ方向の両端面の最外側に位置する導電性金属を有する反射材と、反射材より内側に位置する吸収材とを備える簡易な構造を採用することで、電磁波の除去率を向上することができ、ＭＲＩ装置の撮像にて鮮明な画像を得ることができる。
【００２７】
図１に示す実施形態において、パッド材１０、除去部２０の反射材２１、吸収材２２、カバー部３０等の形状を適宜変更して実施することが可能である。例えば、図２及び図３に示す他の実施形態において、電磁波除去シートは、パッド材１０を備えることなく、所定の厚みを有したシート状の除去部２０とカバー部３０とから構成することもできる。これにより、厚みを低減させることで、衣服等の一部として被検者に装着させて使用することもできる。係る際において、除去部２０は、厚さ方向の両端面から内側方向に向けて、反射材２１と吸収材２２とが配設され、電磁波除去シートの電磁波入射側から対向する側面に向けて、少なくとも反射材２１、吸収材２２、吸収材２２、反射材２１とが順に積層して構成されるのは同様である。
【００２８】
また、除去部２０においては、パッド材１０における厚さ方向の両端面の全面に吸収材２１が固着されるものであったが、これに限られるものではなく、反射材２１を固着することができるのは勿論である。
【００２９】
すなわち、除去部２０における厚さ方向の両端面の最外側に位置する非磁性金属を有する反射材２１より内側に吸収材２２が位置していれば、パッド材１０の有無、位置は特に制限されるものではない趣旨である。また、一部構成を省略することができるし、一部抽出した構成とすることができるのは勿論である。
【符号の説明】
【００３０】
１０    パッド材
２０    除去部
２１    反射材
２２    吸収材
３０    カバー部
【図１】
0006436399.tif 000002
【図２】
0006436399.tif 000003
【図３】
0006436399.tif 000004